(57)【要約】【課題】ＡＤＰＣＭ符号化音声フォーマットとの互換性のあるＡＤＣＰＭ符号化音声フォーマットを作成できる音声録音再生装置の提供する。【解決手段】本発明の音声録音再生装置は、ＡＤＰＣＭ符号化手段３のビットレートを制御する符号化ビットレート制御手段５に対してビットレートの設定を行うビットレート設定手段１４と、メモリ１３から読み出されたＡＤＰＣＭ符号化データのビットレートと入力ビット数を抽出する抽出手段６と、ＡＤＰＣＭ復号化手段１１のビットレートを制御する復号化ビットレート制御手段７と、抽出した入力ビット数に基づいてメモリ制御手段の入力ビット数を制御する入力ビット数制御手段８と、メモリ１３に格納されたＡＤＰＣＭ符号化データのアドレスに基づいてＡＤＰＣＭ符号化データを制御する制御手段と、メモリから読み出されたＡＤＰＣＭ符号化データのアドレスに基づいてＡＤＰＣＭ符号化データを制御する制御手段とを備える。【選択図】    図１
2006330016.tif 000002
【特許請求の範囲】
【請求項１】
入力されたアナログの音声データをデジタルの音声データに変換するＡ／Ｄ変換手段と、デジタルの音声データをＡＤＰＣＭ信号に符号化するＡＤＰＣＭ符号化手段と、符号化したデータを格納するメモリと、該メモリから符号化データを所定のビット数ずつ読み出すメモリ制御手段と、読み出した符号化データを復号化するＡＤＰＣＭ復号化手段と、復号化したデジタルの音声データをアナログの音声データに変換するＤ／Ａ変換手段とを有し、録音した音声を再生出力する音声録音再生装置において、
前記ＡＤＰＣＭ符号化手段のビットレートを制御する符号化ビットレート制御手段に対してビットレートの設定を行うビットレート設定手段と、
前記メモリから読み出されたＡＤＰＣＭ符号化データのビットレートと入力ビット数を抽出する抽出手段と、
前記抽出手段から抽出しビットレートに基づいて前記ＡＤＰＣＭ復号化手段のビットレートを制御する復号化ビットレート制御手段と、
前記抽出手段から抽出した入力ビット数に基づいて前記メモリ制御手段の入力ビット数を制御する入力ビット数制御手段と、
前記メモリに格納されたＡＤＰＣＭ符号化データのアドレスに基づいてＡＤＰＣＭ符号化データを制御する制御手段と、
前記メモリから読み出されたＡＤＰＣＭ符号化データのアドレスに基づいてＡＤＰＣＭ符号化データを制御する制御手段とを備えていることを特徴とする音声録音再生装置。
【請求項２】
前記メモリから読み出されたＡＤＰＣＭ符号化データのアドレスに基づいてＡＤＰＣＭ符号化データを制御する制御手段と、
前記メモリへのＡＤＰＣＭ符号化データのアドレスの上書き格納、追記格納の切換を可能にする制御手段とを備えていることを特徴とする請求項１に記載の音声録音再生装置。
【発明の詳細な説明】
【技術分野】
【０００１】
本発明は、音声録音再生装置に関し、より詳細には、適応差分パルス変調（ＡＤＰＣＭ）方式による音声の圧縮符号化・復号化を行う音声録音再生装置に関する。
【背景技術】
【０００２】
一般に、ＡＤＰＣＭは、アナログ信号をデジタル圧縮信号（ＡＤＰＣＭ符号化データ）に変換する送信側と、デジタル圧縮信号（ＡＤＰＣＭ符号化データ）をアナログ信号に変換する受信側を有している。
【０００３】
図８は、従来のＡＤＰＣＭ方式による音声データ録音再生装置の概略構成を示すブロック図である。送信側は、データ入力手段であるマイク１、デジタル変換手段であるＡ／Ｄ変換器２、データ符号化手段であるＡＤＰＣＭ符号器３から構成されている。また受信側は、データ復号手段であるＡＤＰＣＭ復号器１１、アナログ変換手段であるＤ／Ａ変換器１０、データ出力手段であるスピーカー９から構成されている。そして、ＡＤＰＣＭ符号器３とＡＤＰＣＭ復号器１１とには、メモリ制御部Ａ４，メモリ制御部Ｂ１２、ＲＡＭ（Random Access Memory）やフラッシュメモリ等のデータ記憶手段である音声メモリ部１３が接続されている。
【０００４】
設定入力部１４は、ビットレート制御部Ａ５とビットレート制御部Ｂ７、入力ビット数制御部８が接続されており、さらにビットレート制御部Ａ５はＡＤＰＣＭ符号器３に、ビットレート制御部Ｂ７はＡＤＰＣＭ復号器１１に接続されている。また、入力ビット数ビット制御部８はメモリ制御部Ｂ１２に接続されている。
【０００５】
本構成において、録音時には、マイク１から入力されたアナログ音声信号は、Ａ／Ｄ変換器２によりデジタルの音声信号に変換される。このデジタルの音声信号は、ＡＤＰＣＭ符号器３に入力され、所定のＡＤＰＣＭビットレートで符号化される。符号化された音声データは、メモリ制御部Ａ４を介して、音声メモリ部１３に格納される。
【０００６】
再生時には、メモリ制御部Ｂ１２を介して所定のビット数ずつ符号化音声データが音声メモリ部１３から読み出され、ＡＤＰＣＭ復号器１１で所定のＡＤＰＣＭビットレートで復号され、Ｄ／Ａ変換器１０でアナログ音声信号に変換されて、スピーカー９から出力される。
【０００７】
上述したＡＤＰＣＭ符号器３のビットレートならびに内部の各種パラメータは、設定入力部１４から送られてくる信号に応答してビットレート制御器Ａ５からの制御信号によって設定される。また、ＡＤＰＣＭ復号器１１のビットレートならびに内部の各種パラメータは、データ抽出部６から抽出されたデータに応答してビットレート制御器Ｂ７からの制御信号によって設定される。また、メモリ制御部Ｂ１２内のＡＤＰＣＭ復号器１１への符号音声データ読出しビット数（入力ビット数）は、データ抽出部６から抽出されたデータに応答して入力ビット数制御部７からの制御信号によって設定される。
【０００８】
なお、ＡＤＰＣＭ符号化／復号化技術については、公知の技術であるので、ここでは説明を省略する。
ＡＤＰＣＭ符号器３により変換されたＡＤＰＣＭの符号化データの１サンプルあたりのビット数（符号化ビット数）は、２〜５ビットであり、ＡＤＰＣＭビットレートと符号化ビット数の関係は次のようになる。
【０００９】
【表１】
2006330016.tif 000003
【００１０】
例えば、録音時のＡＤＰＣＭビットレートが３２ｋｂｐｓに設定された場合、録音動作を行うと、ＡＤＰＣＭ符号器３で符号化された符号化データは４ビットに符号化され、メモリ制御部Ａ４を介して音声メモリ部１３に格納される。
【００１１】
上記の符号化音声データを再生するには、使用者は、まず、設定入力部１４より、ＡＤＰＣＭ復号器１１のＡＤＰＣＭビットレートは３２ｋｂｐｓ、メモリ制御部Ｂ１２の入力ビット数は、４ビットになるように設定を行う。その後、再生動作を開始し、音声メモリ部１３から符号化データが４ビット読み込まれ、ビットレート３２ｋｂｐｓのＡＤＰＣＭ復号器１１で復号化されたあと、Ｄ／Ａ変換器１０でアナログ音声データに正しく変換され、スピーカー９より出力される。
【００１２】
ところが、再生時の設定において、使用者が、ＡＤＰＣＭ復号器１１のビットレートは１６ｋｂｐｓ、メモリ制御部Ｂ１２の入力ビット数は４ビットと設定してしまった場合、この状態で再生動作を行うと、音声メモリ部１３からは、符号化データは４ビット読み込まれるが、ＡＤＰＣＭ復号器１１のビットレートが１６ｋｂｐｓの設定になっているため、読み込まれたデータのうちの２ビットだけしか復号処理が行われない。またＡＤＰＣＭ復号器１１内の各種パラメータもビットレートが３２ｋｂｐｓと１６ｋｂｐｓとでは異なるため、結果として正しい音声信号に変換されないことになる。
【００１３】
特許文献１においては、ＡＤＰＣＭ符号器３で復号されたＡＤＰＣＭ符号化音声データを音声メモリ部１３に格納させておくときに、このＡＤＰＣＭ符号化音声データのヘッダとして、ＡＤＣＰＭのビットレートならびに符号化ビット数のデータを付加しておき、ＡＤＰＣＭ復号化時にＡＤＣＰＭ符号化音声データのヘッダ部分に付加されたＡＤＰＣＭのビットレートの抽出と、入力ビット数の抽出を行い、ＡＤＰＣＭのビットレート抽出結果と使用者が設定入力部１４から入力したＡＤＰＣＭビットレートとを比較し、異なっている場合には、抽出されたビットレートのデータで、ＡＤＰＣＭ復号器１１のビットレートを設定し、さらに入力ビット数の抽出結果と、使用者が設定入力部１４から入力した入力ビット数とを比較し、異なっている場合には、抽出された入力ビット数をメモリ制御部Ｂ１２の入力ビット数として設定することで、使用者が、ＡＤＰＣＭビットレートまたは、入力ビット数を誤った値で入力した場合でも、ＡＤＰＣＭ符号化したときと同じＡＤＰＣＭビットレート、あるいは、ＡＤＰＣＭ符号化したときと同じ符号化ビット数（入力ビット数）でＡＤＰＣＭ復号化を行うとしている。
【００１４】
【特許文献１】特開２００３−２９７９１号公報
【発明の開示】
【発明が解決しようとする課題】
【００１５】
しかし、上記特許文献１において録音されたＡＤＰＣＭ符号化音声データは、音声データの他にＡＤＰＣＭのビットレートならびに符号化ビット数が付加されたフォーマットになるため、上記特許で録音されたＡＤＰＣＭ符号化音声データを従来のＡＤＰＣＭ再生器で再生した場合、ヘッダとして付加したデータ(ＡＤＣＰＭのビットレートならびに符号化ビット数)をもＡＤＰＣＭデータとして復号化してしまうので、正しいＡＤＰＣＭ再生ができないことになる。
【００１６】
本発明は、前記事情に着目してなされたものであり、その目的とするところは、従来技術のＡＤＰＣＭ符号化音声フォーマットとの互換性のあるＡＤＣＰＭ符号化音声フォーマットを作成できる音声録音再生装置を提供することにある。
【課題を解決するための手段】
【００１７】
前記課題を解決するために、請求項１に記載された発明は、入力されたアナログの音声データをデジタルの音声データに変換するＡ／Ｄ変換手段と、デジタルの音声データをＡＤＰＣＭ信号に符号化するＡＤＰＣＭ符号化手段と、符号化したデータを格納するメモリと、該メモリから符号化データを所定のビット数ずつ読み出すメモリ制御手段と、読み出した符号化データを復号化するＡＤＰＣＭ復号化手段と、復号化したデジタルの音声データをアナログの音声データに変換するＤ／Ａ変換手段とを有し、録音した音声を再生出力する音声録音再生装置において、前記ＡＤＰＣＭ符号化手段のビットレートを制御する符号化ビットレート制御手段に対してビットレートの設定を行うビットレート設定手段と、前記メモリから読み出されたＡＤＰＣＭ符号化データのビットレートと入力ビット数を抽出する抽出手段と、前記抽出手段から抽出しビットレートに基づいて前記ＡＤＰＣＭ復号化手段のビットレートを制御する復号化ビットレート制御手段と、前記抽出手段から抽出した入力ビット数に基づいて前記メモリ制御手段の入力ビット数を制御する入力ビット数制御手段と、前記メモリに格納されたＡＤＰＣＭ符号化データのアドレスに基づいてＡＤＰＣＭ符号化データを制御する制御手段と、前記メモリから読み出されたＡＤＰＣＭ符号化データのアドレスに基づいてＡＤＰＣＭ符号化データを制御する制御手段とを備えていることを特徴とする。
【００１８】
また、請求項２に記載された発明は、請求項１に記載された発明において、前記メモリから読み出されたＡＤＰＣＭ符号化データのアドレスに基づいてＡＤＰＣＭ符号化データを制御する制御手段と、前記メモリへのＡＤＰＣＭ符号化データのアドレスの上書き格納、追記格納の切換を可能にする制御手段とを備えていることを特徴とする。
【発明の効果】
【００１９】
本発明の音声録音再生装置は、ＡＤＰＣＭ符号器３で復号されたＡＤＰＣＭ符号データを音声メモリ部１３に格納させておくときに、ＡＤＰＣＭのビットレートならびに符号化ビット数をヘッダとしてではなく、音声メモリ部１３内のアドレス管理領域に格納させ、ヘッダと符号化データとを分離させることで、従来技術のＡＤＰＣＭ符号化音声フォーマットとの互換性のあるＡＤＣＰＭ符号化音声フォーマットを作成することができる。
【発明を実施するための最良の形態】
【００２０】
以下、図面を参照しながら、本発明の実施形態について説明する。
【００２１】
図１は、本発明の第１の実施形態に係る音声記録再生装置の構成を示す図である。なお、図８と同一の構成部分については同一符号を付してその説明を省略する。
【００２２】
図１および図３に示されるように、録音時には、マイク１から入力されたアナログ音声信号は、Ａ／Ｄ変換器（Ａ／Ｄ変換手段）２によりデジタルの音声信号に変換される（図３のステップＳ３、Ｓ４参照）。このデジタルの音声信号は、ＡＤＰＣＭ符号器（ＡＤＰＣＭ符号化手段）３で符号化される（図３のステップＳ５、Ｓ６参照）。このときのＡＤＰＣＭ符号器３のＡＤＰＣＭビットレートは、設定入力部（ビットレート設定手段）１４から入力され、ビットレート制御部Ａ（符号化ビットレート制御手段）５によって設定される（図３のステップＳ１参照）。符号化された音声データは、メモリ制御部Ａ４を介して、音声メモリ部１３に格納される。
【００２３】
ＡＤＰＣＭ符号器３で符号化された符号化データ１０２（図２参照）は、メモリ制御部Ａ４を介して音声メモリ部１３に格納されるが、このときにＡＤＰＣＭビットレートのデータと、符号化ビット数、さらにスタートアドレスを音声メモリ部１３内にあるアドレス管理領域１００（図２参照）に格納しておく（図３のステップＳ２参照）。ＡＤＰＣＭビットレートのデータと、符号化ビット数をＡＤＰＣＭ符号化データのヘッダではなく、別々のデータとして格納するので、音声メモリ部１３に格納されたＡＤＰＣＭ符号化データのフォーマットは、従来技術のＡＤＰＣＭ符号化データのフォーマットと同じになる。
【００２４】
図１および図４に示されるように、再生時には、設定入力部１４から再生が選択され、アドレス制御部１５によって、ＡＤＰＣＭ符号化データのスタートアドレスが選択される（図４のステップＳ１０参照）。
【００２５】
次に、データ抽出部（抽出手段）６によりアドレス管理領域１００内に格納されたＡＤＰＣＭビットレートのデータと、符号化されたときの符号化ビット数が抽出される。抽出されたＡＤＰＣＭビットレートのデータはビットレート制御部Ｂ７に、抽出された符号化ビット数（入力ビット数）は、入力ビット数制御部（入力ビット数制御手段）８に入力される。ビットレート制御部Ｂ７では、抽出されたＡＤＰＣＭビットレートデータが入力され、ビットレート制御器Ｂ（復号化ビットレート制御手段）７からの制御信号によって、ＡＤＰＣＭ復号器１１のＡＤＰＣＭビットレートならびに復号器内部の各種パラメータが設定される。入力ビット数制御部８では、抽出された符号化ビット数（入力ビット数）が入力され、入力ビット数制御部８からの制御信号によって、メモリ制御部Ｂ１２の入力ビット数が設定される（図４のステップＳ１１参照）。
【００２６】
上記設定完了後、スタートアドレスから再生を開始し、ＡＤＰＣＭ符号化データは、メモリ制御部Ｂ１２を介してＡＤＰＣＭ復号器（ＡＤＰＣＭ復号化手段）１１へ読み出され、ＡＤＰＣＭ復号器１１でデジタル音声データに復号され（図４のステップＳ１２、Ｓ１３参照）、Ｄ／Ａ変換器（Ｄ／Ａ変換手段）１０でアナログ音声信号に変換されて（図４のステップＳ１４参照）、スピーカー９より出力される（図４のステップＳ１５、Ｓ１６参照）。
【００２７】
音声メモリ部（メモリ）１３に格納されたＡＤＰＣＭ符号化データについては、従来技術のＡＤＰＣＭ符号化データのフォーマットと同じであるため、音声メモリ部１３に格納されたＡＤＰＣＭ符号化データを取り出して図１における従来技術のＡＤＰＣＭ音声記録再生装置で再生させることができる。
【００２８】
以上説明したように、本実施形態では、ＡＤＰＣＭ符号化データを音声メモリ部に格納するときに、ＡＤＰＣＭ符号化データのビットレートならびに符号化ビット数も音声メモリ部１３内のアドレス管理領域に格納されるので、ＡＤＰＣＭ再生時には、データ抽出手段により音声メモリ部１３内のアドレス管理領域に格納されたビットレートならびに符号化ビット数を抽出し、抽出されたビットレートでＡＤＰＣＭ復号化手段のビットレートを制御するとともに、抽出された入力ビット数でメモリ制御手段の入力ビット数を制御するようにしたので、録音された音声を適性に再生することができる。
【００２９】
また、ＡＤＰＣＭ符号化データを音声メモリ部に格納するときに、ＡＤＰＣＭ符号化データは音声メモリ部１３（データ部）へ格納され、ビットレートならびに符号化ビット数は音声メモリ部１３内のアドレス管理領域へと別々に格納されるので、音声メモリ部１３へ格納されたＡＤＰＣＭ符号化データだけを取り出すことで、従来のＡＤＰＣＭ再生器においても、上記構成で録音された音声を再生することが可能である。
【００３０】
図５は、本発明の第２の実施形態に係る音声記録再生装置の構成を示す図である。なお、図１および図８と同一の構成部分については同一符号を付してその説明を省略する。
【００３１】
（ａ）図５および図６に示されるように、録音時には、マイク１から入力されたアナログ音声信号（図６のステップＳ２２参照）は、Ａ／Ｄ変換器２によりデジタルの音声信号に変換される（図６のステップＳ２３参照）。このデジタルの音声信号は、ＡＤＰＣＭ符号器３で符号化される（図６のステップＳ２４参照）。このときのＡＤＰＣＭ符号器３のＡＤＰＣＭビットレートは、設定入力部１４から入力され、ビットレート制御部Ａ５によって設定される（図６のステップＳ２０参照）。符号化された音声データは、メモリ制御部Ａ４を介して、音声メモリ部１３に格納される。
【００３２】
（ｂ）音声録音時において、複数の音声を録音したい場合には、まず、設定入力部１４より格納モード切換を入力し、アドレス制御部１５内のモード切換部１５１により、音声メモリ部１３へのデータ格納モードを追記モードに設定する（図６のステップＳ２５参照）。そうでない場合には符号化が終了する（図６のステップＳ２７参照）。ＡＤＰＣＭ符号器３で符号化された符号化データは、メモリ制御部Ａ４を介して音声メモリ部１３に格納されるが、このときにＡＤＰＣＭビットレートのデータと、符号化ビット数、さらにＡＤＰＣＭ符号化データのインデックス番号、スタートアドレスを音声メモリ部１３内にあるアドレス管理領域に格納しておく（図６のステップＳ２６，Ｓ２８，Ｓ２１参照）。このインデックス番号は、記録された順番に大きくなっていく。
【００３３】
（ｃ）再生時には、図７のステップＳ３０〜ステップＳ３７に示されるように、まず、設定入力部１４からインデックス番号を入力し、アドレス制御部１５によって入力されたインデックス番号に応じたスタートアドレスが選択され、そのスタートアドレスによってＡＤＰＣＭ符号化データが選択される。なお、インデックス番号を入力しない場合は、先頭に録音されたＡＤＰＣＭ符号化データが選択される。
【００３４】
（ｄ）次に、選択されたＡＤＰＣＭ符号化データは、データ抽出部６によりアドレス管理領内に格納されたＡＤＰＣＭビットレートのデータと、符号化されたときの符号化ビット数が抽出される。抽出されたＡＤＰＣＭビットレートのデータはビットレート制御部Ｂ７に、抽出された符号化ビット数（入力ビット数）は、入力ビット数制御部８に入力される。ビットレート制御部Ｂ７では、抽出されたＡＤＰＣＭビットレートデータが入力され、ビットレート制御器Ｂ７からの制御信号によって、ＡＤＰＣＭ復号器１１のＡＤＰＣＭビットレートならびに復号器内部の各種パラメータが設定される。入力ビット数制御部８では、抽出された符号化ビット数（入力ビット数）が入力され、入力ビット数制御部８からの制御信号によって、メモリ制御部Ｂ１２の入力ビット数が設定される（ステップＳ３１）。
【００３５】
（ｅ）上記設定完了後、再生を開始し、ＡＤＰＣＭ符号化データは、メモリ制御部Ｂ１２を介してＡＤＰＣＭ復号器へ読み出され（ステップＳ３２）、ＡＤＰＣＭ復号器１１でデジタル音声データに復号され（ステップＳ３３）、Ｄ／Ａ変換器１０でアナログ音声信号に変換されて（ステップＳ３４）、スピーカー９より出力される（ステップＳ３５）。
【００３６】
（ｆ）再生中に次のＡＤＰＣＭ符号化データを再生したい場合は、設定入力部１４から次のＡＤＰＣＭ符号化データのインデックス番号を入力し、前のＡＤＰＣＭ符号化データを再生したい場合には、設定入力部１４から前のＡＤＰＣＭ符号化データのインデックス番号を入力して所望のＡＤＰＣＭ符号化データを選択する。その後、（ｄ）（ｅ）.と同じ処理を行い、スキップされたＡＤＰＣＭ符号化データが再生される（ステップＳ３６）。
【００３７】
（ｇ）音声メモリ部１３に格納されたＡＤＰＣＭ符号化データについては、従来技術のＡＤＰＣＭ符号化データのフォーマットと同じであるため、音声メモリ部１３に格納されたＡＤＰＣＭ符号化データを取り出して図８における従来技術のＡＤＰＣＭ音声記録再生装置で再生させることができる。
【００３８】
以上説明したように、本実施形態では、追記格納モードを選択することにより、音声メモリ部に複数のＡＤＰＣＭ符号化データを格納することができるので、最初に設定（追記格納）を行えば、第１の実施形態のように音声メモリ部へ必要になったＡＤＰＣＭ符号化データの再格納をする必要がない。再生の場合には、複数のＡＤＰＣＭ符号化データを音声メモリ部に格納しているので、複数のＡＤＰＣＭ符号化データを連続して再生、あるいは所望のＡＤＰＣＭ符号化データだけを再生することができる。あとから必要になったＡＤＰＣＭ符号化データがあった場合は、音声メモリに追記格納させることができる。また、これらの複数のＡＤＰＣＭ符号化データは、“請求項１に対する作用効果”に記したように、従来のＡＤＰＣＭ符号化フォーマットと互換性があるので、複数のＡＤＰＣＭ符号化音声データ、あるいは必要なＡＤＰＣＭ符号化音声データだけを取り出して、従来のＡＤＰＣＭ再生器でＡＤＰＣＭ符号化音声データを再生することが可能である。
【００３９】
第１の実施形態においては、音声再生メモリ部には１つの音声データしか格納することができない。従って、ＡＤＰＣＭ音声データ（Ａ）を使用していて、急にＡＤＰＣＭ音声データ（Ｂ）が必要になった場合は、ＡＤＰＣＭ音声データ（Ａ）にＡＤＰＣＭ音声データ（Ｂ）を上書きして、再生させなければならない。また、このあとＡＤＰＣＭ音声データ（Ａ）が必要になった場合には、またＡＤＰＣＭ音声データ（Ａ）を録音し直す必要がある。しかしながら、本実施形態では、アドレス制御部１５内のモード切換部１５１により、音声メモリ部１３への符号化データ格納モードを追記モードに設定し、複数の符号化データを格納できるようにすることにより、ＡＤＰＣＭ符号化音声フォーマットとの互換性のある複数のＡＤＣＰＭ符号化音声フォーマットデータを連続して再生、あるいは、所望の符号化データだけを再生することが可能である。
【図面の簡単な説明】
【００４０】
【図１】本発明の第１の実施形態に係る音声録音再生装置の概略ブロック図である。
【図２】音声メモリ部ファイルフォーマットを示す図である。
【図３】図１の構成における録音時の処理のフローチャートである。
【図４】図１の構成における再生時の処理のフローチャートである。
【図５】本発明の第２の実施形態に係る音声録音再生装置の概略ブロック図である。
【図６】図５の構成における録音時の処理のフローチャートである。
【図７】図５の構成における再生時の処理のフローチャートである。
【図８】従来の音声録音再生装置の概略ブロック図である。
【符号の説明】
【００４１】
２      Ａ／Ｄ変換器（Ａ／Ｄ変換手段）
３      ＡＤＰＣＭ符号器（ＡＤＰＣＭ符号化手段）
５      ビットレート制御部Ａ（符号化ビットレート制御手段）
６      データ抽出部（抽出手段）
７      ビットレート制御器Ｂ（復号化ビットレート制御手段）
８      入力ビット数制御部（入力ビット数制御手段）
１０    Ｄ／Ａ変換器（Ｄ／Ａ変換手段）
１１    ＡＤＰＣＭ復号器（ＡＤＰＣＭ復号化手段）
１３    音声メモリ部（メモリ）
１４    設定入力部（ビットレート設定手段）
【図１】
2006330016.tif 000004
【図２】
2006330016.tif 000005
【図３】
2006330016.tif 000006
【図４】
2006330016.tif 000007
【図５】
2006330016.tif 000008
【図６】
2006330016.tif 000009
【図７】
2006330016.tif 000010
【図８】
2006330016.tif 000011